(57)【要約】  ウェイクアップ信号は、第１パートと第２パートとを含む。第１パートは、ウェイクアップ信号を伝送する基地局のセルに関するものである。第２パートは、１つまたは複数の端末に関するものである。第２パートは、任意選択である。【選択図】図１４
2021502028.tif 000002
【特許請求の範囲】
【請求項１】
端末（１０２）を作動させる方法であって、
基地局（１０１）からウェイクアップ信号（７００）の第１パート（７１１）を受信することと、前記基地局（１０１）から前記ウェイクアップ信号（７００）の第２パート（７１２）を任意選択で受信することとを含み、前記第１パート（７１１）は、前記基地局（１０１）に関連付けられたセルに関し、かつ前記第２パート（７１２）は前記端末（１０２）に関するものである、方法。
【請求項２】
前記ウェイクアップ信号（７００）の前記第１パート（７１１）に含まれている同期信号（７２１）に基づいて、前記端末を前記基地局（１０１）と同期させることと、
前記同期に基づいて、前記ウェイクアップ信号（７００）の前記第２パート（７１２）を選択的に受信することとをさらに含む、請求項１に記載の方法。
【請求項３】
前記セルのセル識別情報（７２２）は、前記同期信号（７１１）内に符号化される、請求項２に記載の方法。
【請求項４】
前記ウェイクアップ信号（７００）の前記第１パート（７１１）は、前記同期信号（７２１）を含む、請求項２または３に記載の方法。
【請求項５】
前記ウェイクアップ信号（７００）の前記第１パート（７１１）に含まれている参照信号（７２３）に基づいて、前記基地局（１０１）と前記端末（１０２）との間のチャネルのチャネルセンシングを実施することと、
前記チャネルセンシングの結果に応じて、前記ウェイクアップ信号（７００）の前記第２パート（７１２）を選択的に受信することとをさらに含む、請求項１〜４のうちいずれか一項に記載の方法。
【請求項６】
前記同期および前記チャネルセンシングの前記結果のうち少なくとも１つに応じて、前記ウェイクアップ信号（７００）に含まれていない、少なくとも１つの周期的にブロードキャストされた別の参照信号（４１０２）を選択的に受信することをさらに含む、請求項１〜５のうちいずれか一項に記載の方法。
【請求項７】
前記第１パートは、参照信号（７２３）を含み、
前記方法は、
前記参照信号（７２３）に基づいて、前記基地局（１０１）と前記端末（１０２）との間のチャネルのチャネルセンシングを実施して、前記端末（１０２）を前記基地局（１０１）と同期させることと、
前記チャネルセンシングの結果に応じて、かつ前記同期に基づいて、前記ウェイクアップ信号（７００）の前記第２パート（７１２）を選択的に受信することとをさらに含む、請求項１に記載の方法。
【請求項８】
前記基地局（１０１）に関連付けられ、かつ前記第１パート（７１１）に含まれている前記セルのセル識別情報（７２２）を、参照セル識別情報と比較することと、
前記比較に応じて、前記ウェイクアップ信号（７００）の前記第２パート（７１２）を選択的に受信することとをさらに含む、請求項１〜７のうちいずれか一項に記載の方法。
【請求項９】
非アクティブ状態（３８４）からアクティブ状態（３８３）に前記端末（１０２）の受信機を遷移させることをさらに含み、
前記ウェイクアップ信号（７００）の前記第１パート（７１１）は、前記遷移に応じて受信される、請求項１〜８のうちいずれか一項に記載の方法。
【請求項１０】
前記端末（１０２）の前記受信機の前記非アクティブ状態（３８４）から前記アクティブ状態（３８３）への前記遷移の間、および、前記ウェイクアップ信号（７００）の前記第１パート（７１１）の前記受信まで、基地局（１０１）と同期しないことをさらに含む、請求項９に記載の方法。
【請求項１１】
ネットワーク（１０）の基地局（１０１）を作動させる方法であって、
ウェイクアップ信号（７００）の第１パート（７１１）を伝送することと、前記ウェイクアップ信号（７００）の第２パート（７１２）を任意選択で伝送することとを含み、前記第１パート（７１１）は、前記基地局（１０１）に関連付けられたセルに関し、かつ前記第２パート（７１２）は端末（１０２）に関するものである、方法。
【請求項１２】
下りリンクデータが、前記端末（１０２）への伝送向けに待ち行列に入れられているかどうかを確認することをさらに含み、
前記ウェイクアップ信号（７００）の前記第２パート（７１２）は、前記確認に基づいて選択的に伝送される、請求項１１に記載の方法。
【請求項１３】
前記第１パート（７１１）は、前記第２パート（７１２）のプリアンブルとして構成される、請求項１〜１２のうちいずれか一項に記載の方法。
【請求項１４】
前記ウェイクアップ信号（７００）の前記第１パート（７１１）は、前記基地局（１０１）と前記端末（１０２）との間のチャネルのチャネルセンシングのための参照信号（７２３）を含む、請求項１〜１３のうちいずれか一項に記載の方法。
【請求項１５】
タイムギャップが、前記ウェイクアップ信号（７００）の前記第１パート（７１１）と、前記ウェイクアップ信号（７００）の前記第２パート（７１２）との間に配置される、請求項１〜１４のうちいずれか一項に記載の方法。
【発明の詳細な説明】
【技術分野】
【０００１】
本発明の種々の例は、概して、ウェイクアップ信号の通信に関する。本発明の種々の例は、特に、第１パートと第２パートとを有するウェイクアップ信号の通信に関する。
【背景技術】
【０００２】
無線通信は、現代生活の中で不可欠な部分である。モノのインターネット（Internet  Of  Things：ＩＯＴ）またはマシンタイプコミュニケーション（Machine  Type  Communication：ＭＴＣ）などの種々の用途を可能にするために、無線通信の電力消費量を減らすことは、重要な課題である。
【０００３】
無線通信の電力消費量を減らすための１つのアプローチは、ウェイクアップ技術を使用することである。ここで、端末／ユーザ端末（User  Equipment：ＵＥ）は、２つの受信機、すなわちメイン受信機と低電力受信機とを備える場合がある。低電力受信機は比較的単純なアーキテクチャを実装することができるので、メイン受信機よりも作動中の電力消費が少ない場合がある。メイン受信機が非アクティブ状態に遷移するときに、低電力受信機が起動される場合がある。次いで、低電力受信機はウェイクアップ信号（Wake-Up  Signal：ＷＵＳ）を受信する場合があり、かつＷＵＳの受信に応じてメイン受信機は、再度アクティブ状態に遷移し得る。ペイロードデータがメイン受信機によって伝送および／または受信（通信）される場合がある。
【０００４】
第３世代パートナーシッププロジェクト（Third  Generation  Partnership  Project：３ＧＰＰ）のTSG  RAN  Meeting  #74  contribution  RP-1  62286  "Motivation  for  New  Wl  on  Even  further  enhanced  MTC  for  LTE"、3GPP  TSG  RAN  Meeting  #74  contribution  RP-62  26  "Enhancements  for  Rel-1  5  eMTC/NB-loT"、および3GPP  TSG  RAN  WG1#88  R  1-17031  39  "Wake  Up  Radio  for  NR"にて、実装形態の例が記載されている。3GPP  R2-1  708285を参照されたい。
【０００５】
しかし、このような参考実装形態は、一定の制約や欠点を伴う。例えば、ＵＥの１つまたは複数の受信機を非アクティブ状態で作動させる間に、ＵＥが移動する可能性がある。一旦、対応する受信機がアクティブ状態に遷移すると、対応するセルのセル識別情報を識別する必要がある。このことは、典型的には、ブロードキャストされる情報ブロックを受信することで実現される。参照信号に基づいて、チャネルセンシングを実施し、サービング基地局によって提供される信号品質が充分であるかどうかを検証する可能性もある。さらに一部の例では、ＵＥの１つまたは複数の受信機は、非アクティブ状態の持続時間が著しく長い場合がある。その場合、ＵＥとサービング基地局とが、この持続時間の間に同期を失う可能性がある。このようなシナリオでは、ブロードキャストされた同期信号を受信することによって時間領域および／または周波数領域で同期を得ることが必要とされる。
【０００６】
チャネルセンシング、セル識別情報の識別、および同期は、かなり大きな電力を必要とする可能性がある。このことは、通常、電池式のために低電力消費が必要とされるＩＯＴまたはＭＴＣのＵＥに関して、問題である可能性がある。加えて、このようなタスクはかなりの時間を必要とする場合があり、その結果、後続のデータ通信の遅延が増大する可能性がある。
【発明の概要】
【発明が解決しようとする課題】
【０００７】
したがって、ＷＵＳ通信に対する先進技術が必要とされている。特に、電力効率の良いウェイクアップ技術を実装する技術が必要とされている。低遅延のウェイクアップ技術を実装する技術が必要とされている。
【課題を解決するための手段】
【０００８】
この必要性は、独立請求項の特徴によって満たされる。従属請求項の特徴は、実施形態を定義する。
【０００９】
端末を作動させる方法は、基地局からウェイクアップ信号の第１パートを受信することを含む。方法は、任意選択で、基地局からウェイクアップ信号の第２パートを受信することを含む。第１パートは、基地局に関連付けられたセルに関するものである。第２パートは、端末に関するものである。
【００１０】
端末を作動させる方法は、基地局から同期信号および／または参照信号を受信することを含む。方法は、同期信号に基づいて、端末を基地局と同期させることを含む。方法は、上記同期に基づいて、任意選択で、基地局からウェイクアップ信号を受信することを含む。チャネルセンシングは、参照信号に基づいて、実施され得る。
【００１１】
コンピュータプログラム製品またはコンピュータプログラムは、制御回路によって実行されることがあるプログラムコードを含む。プログラムコードを実行することで、少なくとも１つのプロセッサに方法を実施させる。方法は、基地局からウェイクアップ信号の第１パートを受信することを含む。方法は、任意選択で、基地局からウェイクアップ信号の第２パートを受信することを含む。第１パートは、基地局に関連付けられたセルに関するものである。第２パートは、端末に関するものである。
【００１２】
端末は、基地局からウェイクアップ信号の第１パートを受信するように構成され、かつ基地局からウェイクアップ信号の第２パートを任意選択で受信するように構成された制御回路を備える。第１パートは、基地局に関連付けられたセルに関するものである。第２パートは、端末に関するものである。
【００１３】
ネットワークの基地局を作動させる方法は、ウェイクアップ信号の第１パートを伝送することと、ウェイクアップ信号の第２パートを任意選択で伝送することとを含む。第１パートは、基地局に関連付けられたセルに関し、かつ第２パートは端末に関するものである。
【００１４】
コンピュータプログラム製品またはコンピュータプログラムは、制御回路によって実行されることがあるプログラムコードを含む。プログラムコードを実行することで、少なくとも１つのプロセッサに方法を実施させる。方法は、ウェイクアップ信号の第１パートを伝送することと、ウェイクアップ信号の第２パートを任意選択で伝送することとを含む。第１パートは、基地局に関連付けられたセルに関し、かつ第２パートは、端末に関するものである。
【００１５】
ネットワークの基地局は制御回路を備えている。制御回路は、ウェイクアップ信号の第１パートを伝送し、かつウェイクアップ信号の第２パートを任意選択で伝送するように構成される。第１パートは、基地局に関連付けられたセルに関し、かつ第２パートは端末に関するものである。
【００１６】
このような技術によって、電力効率が良く、低遅延のウェイクアップ技術を実装することが可能である。
【図面の簡単な説明】
【００１７】
【図１】図１は、種々の例に従うコアネットワークおよび無線アクセスネットワークを含むネットワークを示す概略図である。
【図２】図２は、種々の例に従う複数のチャネルに対するリソース割り当てを示す概略図である。
【図３】図３は、種々の例に従う無線アクセスネットワークの基地局を示す概略図である。
【図４】図４は、種々の例に従う無線アクセスネットワークを介してネットワークに接続可能なＵＥを示す概略図である。
【図５】図５は、種々の例に従うＵＥの受信機を示す概略図である。
【図６】図６は、種々の例に従うＵＥの受信機を示す概略図である。
【図７】図７は、種々の例に従って、ＷＵＳを生成する方法を示す概略図である。
【図８】図８は、種々の例に従うＷＵＳの受信を示す概略図である。
【図９】図９は、種々の例に従うＵＥと基地局（Base  Station：ＢＳ）との間のシグナリングのシグナリング図である。
【図１０】図１０は、種々の例に従って、ＵＥが作動され得るモードを示す概略図である。
【図１１】図１１は、間欠受信サイクル、および種々の例に従ったモードに従う、異なる状態でのＵＥの受信機の作動を示す概略図である。
【図１２】図１２は、種々の例に従うＵＥのページングを示す概略図である。
【図１３】図１３は、種々の例に従うＷＵＳを使用したＵＥのページングを示す概略図である。
【図１４】図１４は、種々の例に従うＷＵＳを示す概略図である。
【図１５】図１５は、種々の例に従って、第１パートおよび第２バートを含むＷＵＳを使用したＵＥのページングを示す概略図である。
【図１６】図１６は、種々の例に従う方法のフロー図である。
【図１７】図１７は、種々の例に従う方法のフロー図である。
【発明を実施するための形態】
【００１８】
以下、添付図面を参照しながら、本発明の実施形態を詳細に述べる。実施形態の以下の説明が、限定的な意味で解釈されるべきではないことを理解されたい。本発明の範囲は、以下の記載する実施形態または図面によって限定されることを意図するものではなく、それらは、単に例示的なものである。
【００１９】
図面は、概略表現と見なされるべきであり、かつ図面内に示された要素は必ずしも縮尺通りに示されているわけではない。むしろ、各種要素は、それらの機能および一般的な目的が当業者に明らかになるように表現されている。図中に示すまたは本明細書で記載する、機能ブロック、装置、構成要素、もしくは他の物理的または機能的ユニット間の任意の接続または連結は、間接的な接続または連結によって実装されてよい。構成要素間の連結は、無線接続を介して確立されてよい。機能的ブロックは、ハードウェア、ファームウェア、ソフトウェア、またはこれらの組み合わせで実装されてよい。
【００２０】
以下、ウェイクアップ技術について記載する。ウェイクアップ技術は、例えば、電力節約の目的で、ＵＥがメイン受信機を低電力状態に遷移させることを可能にする。一部の例では、メイン受信機の低電力状態は、非アクティブ状態である場合がある。
【００２１】
非アクティブ状態は、メイン受信機のアクティブ状態と比べて、消費電力が大幅に低減されることが特徴である場合がある。例えば、メイン受信機は、一部またはすべての構成要素がシャットダウンされる場合があるような非アクティブ状態でいずれかのデータを受信する能力がない場合がある。続いて、非アクティブ状態からのメイン受信機のウェイクアップは、ＷＵＳによってトリガされる。
【００２２】
ＷＵＳは、ＵＥの専用低電力受信機によって受信される場合がある。ＷＵＳは、例えばオンオフ変調などの比較的単純な変調を用い、低電力受信機による単純な時間領域オペレーションを容易にする場合がある。例えば、非コヒーレント復号が考えられる場合がある。非コヒーレント復号では、基準位相についての認識は信号検出に必要ではない。その他の例では、ＷＵＳは、低電力状態のメイン受信機によって受信される場合がある。この場合、ＷＵＳは専用の低電力受信機に提供されない可能性がある。
【００２３】
低電力受信機およびメイン受信機は、同じハードウェアコンポーネント内部に実装されるか、少なくとも１つの異なるハードウェアコンポーネントによって実装される場合がある。
【００２４】
ＷＵＳは、ページング信号および／またはページングメッセージが通信される制御チャネルのブラインド復号をしないように助力する場合がある。典型的にはこのようなブラインド復号は、電力効率が比較的良くないので、ＷＵＳを使用することによって電力消費を低減することができる。このことは、以下でさらに詳しく説明する。例えば、３ＧＰＰシナリオでは、ＵＥは、ＵＥ識別情報としての（Paging  Radio  Network  Temporary  Identifier：Ｐ−ＲＮＴＩ）に関して、（マシンタイプコミュニケーションの）制御チャネルＭＰＤＣＣＨ、（ＬＴＥの）物理ＤＬ制御チャネル（Physical  DL  Control  Channel：ＰＤＣＣＨ）、または（ＮＢ−ＩＯＴの）ＮＰＤＣＣＨを、ページングオケージョンの間にブラインド復号することが想定される。Ｐ−ＲＮＴＩを含むページングインジケータの存在が検出される場合、ＵＥは、ページングメッセージ用の後続のデータ共有チャネル（ＰＤＳＣＨ）を引き続き復号する。しかし、ＰＤＳＣＨのページングメッセージは、特定のＵＥ向けではなく、他のＵＥのページングを示している場合がある。この場合、その特定のＵＥは、次のページングオケージョンまで、スリープに戻る必要がある。さらに、ページング頻度が非常に低い用途では、ＵＥアイドルリスニングのコストは、相対的に非常に高くなる可能性がある。この条件下では、ＵＥは、いずれのページングインジケーションも受信することなしに、制御チャネルを監視する必要がある。マシンタイプコミュニケーション（ＭＴＣ）では、対応するＭＰＤＣＣＨ制御チャネルが、そのセル内で使用される最大拡張カバレッジを表す最大繰返し回数で伝送されるので、より悪化する可能性さえある。ＵＥ関連様式でＷＵＳの少なくとも一部を準備することによって、ＵＥは、ページング信号をむやみに復号する必要性なしに、後続のページングの可能性を認識することができる。これにより、電力消費を低減する。
【００２５】
ＷＵＳの通信は、ＵＥの間欠受信サイクルと時間整合されてもよい。間欠受信の基本的技術は、例えば、3GPP  TS  36.331,  Version  14.0.0に記載されている。
【００２６】
各種技術は、参考実装形態に従って、ＷＵＳを受信できるようにする前に時間領域および／または周波数領域で同期を得る必要性が電力消費量および遅延を増大させる可能性があるという知見に基づくものである。同様に、各種技術は、参考実装形態に従って、ＷＵＳを受信できるようにする前にセル識別情報および／またはチャネルセンシングのための参照信号を受信する必要性が電力消費量および遅延を増大させる可能性があるというという知見に基づくものである。
【００２７】
種々の例に従って、プリアンブルベースのＷＵＳが使用される。これは、チャネルセンシングおよびページングメカニズムを含むモビリティオペレーションを支援することを助力する。種々の例に従って、ＷＵＳは、第１パートおよび第２パートを含む。例えば、第１パートは、プリアンブルを実装してもよい。第１パートは、ＷＵＳを伝送する基地局（ＢＳ）のセルに関するものである可能性がある。例えば、第１パートは、セル固有であってもよい。それとは異なり、第２パートは、ＷＵＳが向けられる１つまたは複数のＵＥに関するものであってもよい。例えば、ＷＵＳは、１つのＵＥまたはＵＥのグループを対象とする可能性がある。したがって、第２パートはＵＥ固有であってもよい。ＷＵＳの第２パートは、１つまたは複数のＵＥの識別情報を示す対応する識別子を含んでもよい。
【００２８】
第１パートおよび第２パートは、直接連続して、すなわち、これらの間にさらなるシンボルを介さず伝送されてよい。例えば、ガードインターバルなど、第１パートと第２パートとの間のタイムギャップが存在してもよい。例えば、第１パートと第２パートとの間のタイムギャップは、５ｍｓより小さくてもよく、任意選択で０，５ｍｓより小さくてもよい。第１パートおよび第２パートは、所定の時間−周波数オフセットで、配列されてよい。したがって、第１パートおよび第２パートは、同じ繰返し率で繰返し伝送される場合があるが、第１パートおよび第２パートは、異なる繰返し率で繰返し伝送される場合があることも考えられる。例えば、各間欠受信間隔内で、第１パートおよび第２パートが伝送されるように、繰返し率は、間欠受信サイクルの周期に対して整合されてよい。第１パートおよび第２パートは、同じ周期または異なる周期で存在してもよい。
【００２９】
このような２パートＷＵＳを実装することによって、第２パートによって実装される単なるウェイクアップシグナリング以外の一定の機能性を、ＷＵＳの第１パートに含むことが可能である。例えば、第１パートは、伝送ＢＳに関連付けられたセルのセル識別情報、チャネルセンシングのための参照信号、および／またはＵＥとＢＳとの間の同期のための同期信号を含むことが可能である。それゆえ、言い換えると、第１パートは、参照信号または同期信号あるいはセル識別情報から構成される可能性がある。このために、第１パートＷＵＳは、同期信号と単純に呼ばれる場合がある。
【００３０】
チャネルセンシングは、対応するチャネルでの通信の電力レベルを識別することを助力する場合がある。そのようなものであるから、チャネルセンシングは、参照信号の受信電力（Reference  Signal  Received  Power：ＲＳＲＰ）および／または参照信号の受信品質（Reference  Signal  Received  Quality：ＲＳＲＱ）の判定を容易にする場合がある。
【００３１】
このことにより、ＵＥがそこにキャンピングしており、チャネルセンシングを実施し、および／またはＢＳと同期する、特定のセルを識別するために、ＵＥはＷＵＳの第１パートを頼ることができる。これにより、ブロードキャストされた情報ブロック、ブロードキャストされた参照信号、および／またはブロードキャストされた同期信号のいずれも受信する必要がなくなる。むしろ、ＵＥは、ＷＵＳの第１パートのみを頼ることができる。このことにより、電力消費量および遅延は低減される。例えば、３ＧＰＰ  ＬＴＥフレームワークでは、ブロードキャストされた３ＧＰＰプライマリ同期信号（Primary  Synchronization  Signals：ＰＳＳ）およびセカンダリ同期信号（Secondary  Synchronization  Signals：ＳＳＳ）を受信することは必要とされない場合がある。3GPP  TS  36.21  1,  Version  14.0.0  (201  6-09),  section  6.1  1を参照されたい。
【００３２】
ＷＵＳは、予め定められたＷＵＳ伝送オケージョンで伝送される場合がある。これらのオケージョンは、予め定められたパターン、例えば、一定の繰返し間隔で定義されてよい。ＷＵＳオケージョンが発生するときに、２つのＷＵＳ伝送方式がある可能性がある。一方の伝送方式は、「ＤＴＸを伴うＷＵＳ」と呼ばれる場合があり、そこで、１つまたは複数のＵＥが信号によってウェイクアップされる場合にのみＷＵＳは伝送される。他方の伝送方式は、「ＤＴＸを伴わないＷＵＳ」と呼ばれる場合があり、ＵＥがウェイクアップされることが想定されていない場合であっても、ＷＵＳの少なくとも一部のパートはそのオケージョンで伝送される必要がある。具体的には、ＵＥがウェイクアップされない場合であっても、ＷＵＳをリッスンしているＵＥが、想定されたＷＵＳ伝送オケージョンのいずれかで、チャネルセンシングまたはセル検証／識別を実施できるようにするという理由から、ＤＴＸを伴わないＷＵＳは、プリアンブルを使用する場合がある。これは、同期を維持し、ＵＥの移動性を制御することを助ける。図１は、ネットワーク１００に関する態様を示す。このようなネットワーク１００は、本明細書で開示される種々の例、例えば、ＷＵＳの通信で用いられる場合がある。図１は、ネットワーク１００のアーキテクチャに関する態様を示す。図１の例に従ったネットワーク１００は、３ＧＰＰ  ＬＴＥアーキテクチャを実装する。
【００３３】
３ＧＰＰ  ＬＴＥフレームワークにおける、図１のネットワーク１００の図は、例示的目的のみのためにある。類似の技術が、様々な種類の３ＧＰＰ規定アーキテクチャに容易に適用可能である。例えば、本明細書に記載される技術は、３ＧＰＰ  ｅＮＢ−ｌｏＴ、ＭＴＣシステム、または場合によっては５Ｇと呼ばれる３ＧＰＰ新無線（New  Radio：ＮＲ）システムに適用することができる。例えば、3GPP  RP-1  61321およびRP-  16  1324を参照されたい。さらに、それぞれの技術は、例えば、ブルートゥース（登録商標）、衛星ネットワーク、ＩＥＥＥ  ８０２．１１ｘＷｉＦｉ技術などの様々な種類の非３ＧＰＰ規定ネットワークに容易に適用することができる。
【００３４】
ネットワーク１００は、ＢＳ１０１によって構成される無線アクセスネットワーク（Radio  Access  Network  ：ＲＡＮ）を含む。ＵＥ１０２が、ＢＳ１０１を介してネットワークに接続される。無線リンク１１１が、ＵＥ１０２とＢＳ１０１との間で画定される。
【００３５】
ネットワーク１００は、コアネットワーク（Core  Network：ＣＮ）１１２を含む。ＣＮ１１２（３ＧＰＰ  ＬＴＥの進化型パケットコア（Evolved  Packet  Core：ＥＰＣ））は、ＲＡＮと通信している。ＣＮ１１２は、制御層およびデータ層を含む。制御層は、ホーム加入者サーバ（Home  Subscriber  Server：ＨＳＳ）１１５、モバイル管理エンティティ（Mobile  Management  Entity  ：ＭＭＥ）１１６、およびポリシー・課金規則機能（Policy  and  Charging  Rules  Function：ＰＣＲＦ）１１９などの制御ノードを含む。データ層は、サービングゲートウェイ（Serving  Gateway：ＳＧＷ）１１７およびパケットデータネットワークゲートウェイ（Packet  Data  Network  Gateway：ＰＧＷ）１１８などのゲートウェイノードを含む。
【００３６】
例えば、対応するＵＥ１０２がＲＲＣアイドルモードで作動している場合、ＭＭＥ１１６は、ＵＥ１０２のＣＮ始動ページングを制御する。ＭＭＥ１１６は、ＵＥ１０２の間欠受信（Discontinuous  Reception：ＤＲＸ）サイクルのタイミングを常時監視している場合がある。例えば、ＭＭＥ１１６は、データ接続１６０を確立する部分である場合がある。ＭＭＥ１１６は、ＢＳ１０１によるＷＵＳおよび／またはページング信号の伝送をトリガする場合がある。
【００３７】
データ接続１６０は、対応するＵＥ１０２が、ＲＲＣ接続モードで作動している場合に確立される。ＵＥ１０２の現在の状態を常時監視するために、ＭＭＥ１１６は、ＵＥ１０２をＥＣＭ接続またはＥＣＭアイドルに設定する。ＥＣＭ接続の間、非アクセス層（Non-Access  Stratum：ＮＡＳ）接続が、ＵＥ１０２とＭＭＥ１１６との間で継続される。ＮＡＳ接続は、モビリティ制御接続の一例を実装する。
【００３８】
ＣＮ１１２のネットワークノード１１５から１１９、１２１の基本的機能および目的は、当該技術分野において周知であり、詳細な説明はこの文脈では必要ない。
【００３９】
データ接続１６０は、ＲＡＮを介してＵＥ１０２とＣＮ１１２のデータ層との間で、かつアクセスポイント１２１に向けて確立される。例えば、インターネットまたは別のパケットデータネットワークとの接続は、アクセスポイント１２１を介して確立される場合がある。データ接続１６０を確立するために、対応するＵＥ１０２は、例えば、ネットワークページング、および任意選択で先行するＷＵＳの受信に応じて、ランダムアクセス（Random  Access：ＲＡＣＨ）プロシージャを実施する可能性がある。パケットデータネットワークまたはインターネットのサーバは、ペイロードデータがデータ接続１６０を介して通信されるサービスをホストする場合がある。データ接続１６０は、専用ベアラまたはデフォルトベアラなどの１つまたは複数のベアラを含む場合がある。データ接続１６０は、例えば、概して、レイヤ２のＯＳＩモデルのレイヤ３であるＲＲＣ層で画定される場合がある。したがって、データ接続１６０の確立は、ＯＳＩネットワーク層制御信号を含む場合がある。データ接続１６０を用いて、時間−周波数リソースを物理ＵＬ共有チャネル（Physical  UL  Shared  Channel：ＰＵＳＣＨ）および／または物理ＤＬ共有チャネル（Physical  DL  Shared  Channel：ＰＤＳＣＨ）などのペイロードチャネルに割り当てて、ペイロードデータの伝送を促進する場合がある。物理ＤＬ制御チャネル（Physical  DL  Control  Channel：ＰＤＣＣＨ）などの制御チャネルは、制御データの伝送を促進する場合がある。物理ＵＬ制御チャネル（Physical  UL  Control  Channel：ＰＵＣＣＨ）もまた実装される場合がある。図２は、時間−周波数グリッドで、異なる通信チャネル２６１から２６３に割り当てられた時間−周波数リソースを示す。
【００４０】
図２は無線リンク１１１に実装されるチャネル２６１から２６３に関する態様を示す。無線リンク１１１は、複数の通信チャネル２６１から２６３を実装する。チャネル２６１から２６３の１つまたは複数のサブフレームを含む各伝送フレーム（例えば、無線フレームによって実装される）は、一定の時間長を占める。各チャネル２６１から２６３は、時間領域と周波数領域とで画定された複数のリソースを含む。例えば、リソースは、直交周波数分割多重（Orthogonal  Frequency  Division  Multiplexing：ＯＦＤＭ）に従って、符号化および変調されたシンボルに対して画定される場合がある。リソースは、時間−周波数リソースグリッドで画定される場合がある。
【００４１】
例えば、第１チャネル２６１は、ＷＵＳを搬送してもよい。ＷＵＳは、ＵＥ１０２が対応するアイドルモードのときに、ネットワーク１００（例えば、ＭＭＥ１１６）がＵＥ１０２にページングを行うことを可能にする。したがって、ＷＵＳは、チャネル２６１の専用リソースで通信されてよい。
【００４２】
第２チャネル２６２は、ＵＥ１０２が対応するアイドルモードのときに、ネットワーク１００（例えば、ＭＭＥ１１６）がＵＥ１０２にページングを行うことを可能にするページング信号またはページングインジケータを搬送してもよい。したがって、ページング信号またはページングインジケータは、チャネル２６２の専用リソースで通信されてよい。通常は、ページングインジケータは、ＰＤＣＣＨで通信される。
【００４３】
上記のことから理解されるように、ＷＵＳとページング信号とは異なるチャネル２６１、２６２で伝送されるので、互いに異なるものであってよい。異なるリソースが、異なるチャネル２６１から２６３に割り当てられてよい。例えば、多くのシナリオでは、ＷＵＳとページング信号とは、２つの異なる時間インスタンスで伝送される。
【００４４】
さらに、第３チャネル２６３は、ＵＥ１０２およびＢＳ１０１によって実装される所定のサービスに関連付けられた上位層ユーザプレーンデータパケットを搬送するペイロードメッセージ（ペイロードチャネル２６３）に関連付けられる。ユーザデータメッセージは、ペイロードチャネル２６３を介して伝送されてよい。Ｅ−ＵＴＲＡＮ  ＲＡＴによれば、ペイロードチャネル２６３は、ＰＤＳＣＨまたはＰＵＳＣＨである場合がある。あるいは、制御メッセージは、チャネル２６３、例えば、ページングメッセージを介して伝送されてもよい。
【００４５】
図３は、ＢＳ１０１を概略的に示す。ＢＳ１０１は、インターフェース１０１１を含む。例えば、インターフェース１０１１は、アナログフロントエンドおよびデジタルフロントエンドを含んでもよい。ＢＳ１０１は、例えば、１つまたは複数のプロセッサおよびソフトウェアによって実装される制御回路１０１２をさらに含む。例えば、制御回路１０１２によって実行されるプログラムコードが、不揮発性メモリ１０１３に記憶されていてもよい。本明細書で開示される種々の例では、種々の機能、例えば、ＷＵＳの伝送、第１パートおよび第２パートを含むＷＵＳの生成などが、制御回路１０１２によって実装される場合がある。
【００４６】
図４は、ＵＥ１０２を概略的に示す。ＵＥ１０２は、インターフェース１０２１を含む。例えば、インターフェース１０２１は、アナログフロントエンドおよびデジタルフロントエンドを含んでもよい。一部の例では、インターフェース１０２１は、メイン受信機および低電力受信機を含む場合がある。メイン受信機および低電力受信機のそれぞれが、アナログフロントエンドおよびデジタルフロントエンドをそれぞれ含んでもよい。ＵＥ１０２は、例えば、１つまたは複数のプロセッサおよびソフトウェアによって実装される制御回路１０２２をさらに含む。制御回路１０２２は、ハードウェアに少なくとも部分的に実装されていてもよい。例えば、制御回路１０２２によって実行されるプログラムコードが、不揮発性メモリ１０２３に記憶されていてもよい。本明細書で開示される種々の例では、種々の機能、例えば、ＷＵＳの受信、メイン受信機の非アクティブ状態とアクティブ状態との間の遷移、メイン受信機および／または低電力受信機のＤＲＸサイクルの実装、ＷＵＳの第１パートに基づくＢＳとの同期、ＷＵＳの第１パートに基づくチャネルセンシングなどが、制御回路１０２２によって実装される場合がある。
【００４７】
図５は、ＵＥ１０２のインターフェース１０３１に関して詳細を示す。特に、図５は、メイン受信機１３５１および低電力受信機１３５２に関する態様を示す。図５では、メイン受信機１３５１と低電力受信機１３５２とは、別々のエンティティとして実装されている。例えば、それらは異なるチップに実装されてもよい。例えば、それらは異なるハウジングに実装されてもよい。例えば、それらは共通の電源装置を共有していなくてもよい。
【００４８】
シナリオ図５は、メイン受信機を非アクティブ状態で作動させるときに、メイン受信機１３５１の一部またはすべてのコンポーネントの電源を切ることができるようにする場合がある。本明細書に記載される種々の例では、続いて、低電力受信機１３５２を使用してＷＵＳを受信することが可能である場合がある。また、低電力受信機１３５２は、例えば、ＤＲＸサイクルに従って、非アクティブ状態とアクティブ状態との間で切り換えられてよい。
【００４９】
例えば、メイン受信機１３５１が電源を入れられる場合、低電力受信機１３５２は電源を切られてもよく、逆も同様である。したがって、メイン受信機１３５１と低電力受信機１３５２とは、作動時に（図５の矢印で示されている）相互関係があってもよい。
【００５０】
図６は、ＵＥ１０２のインターフェース１０３１に関して詳細を示す。特に、図６は、メイン受信機１３５１および低電力受信機１３５２に関する態様を示す。図６では、メイン受信機１３５１と低電力受信機１３５２とは、共通エンティティとして実装されている。例えば、それらは、共通チップに実装されて（すなわち、共通ダイに集積されて）いてもよい。例えば、それらは共通のハウジングに実装されてもよい。例えば、それらは共通の電源装置を共有していてもよい。
【００５１】
シナリオ図６は、例えば、ウェイクアップ受信機１３５２によるＷＵＳの受信と、メイン受信機１３５１による受信との間で、特段の低遅延を可能にする場合がある。
【００５２】
図５および６では、シナリオにはメイン受信機１３５１と低電力受信機１３５２とが、共通アンテナを共有している場合が示されているが、他の例では、インターフェース１０３１が、メイン受信機１３５１および低電力受信機１３５２用に専用の各アンテナを含むことも可能である。
【００５３】
図５および６の例では、シナリオには専用の低電力受信機１３５２がある場合が示されているが、他の例では、低電力受信機がない場合もある。その代わりに、ＷＵＳは、低電力状態のメイン受信機１３５１によって受信される場合がある。例えば、メイン受信機１３５１は、低電力状態では、ＷＵＳ以外の普通のデータを受信しないように適合されてもよい。その場合、ＷＵＳの受信に応じて、メイン受信機１３５１は、普通のデータ、例えば、ＰＤＳＣＨまたはＰＤＣＣＨなどを受信するように適合されている、高電力状態に遷移してもよい。
【００５４】
図７は、種々の例に従った方法のフロー図である。図７は、ＷＵＳを構築または生成することに関する態様を示す。特に、図７に従った方法は、ＷＵＳの第１パートおよび／またはＷＵＳの第２パートを生成するために使用されてよい。
【００５５】
例えば、図７に従った方法は、ＢＳ１０１の制御回路１０１２によって実行される可能性がある。図７は、ＷＵＳの系列設計に関する態様を示す。本明細書に記載される種々の例では、図７の方法に従ってＷＵＳを構築することが可能である場合がある。
【００５６】
まず、一定のベース系列が選択される（２００１）。例えば、ベース系列は、ランダムに生成されたビットのセットであってもよい。例えば、ベース系列は、ＵＥまたはＵＥのグループに対して一意なものであってもよい。例えば、ベース系列は、ネットワーク１００のセルに対して一意なものであってもよい。例えば、ベース系列は、Ｚａｄｏｆｆ−Ｃｈｕ系列、直交または準直交系列のセットから選択される系列、およびウォルシュ・アダマール系列を含むグループから選択されてよい。例えば、特定のベース系列またはベース系列のタイプの選択は、ＷＵＳの系列設計によって決まる場合がある。例えば、ＷＵＳのベース系列の系列長の設定は、ＷＵＳの系列設計によって決まる場合がある。ベース系列の選択は、ＷＵＳの系列設計によって決まる場合がある。
【００５７】
一部の例では、ＷＵＳの第１パートとＷＵＳの第２パートとで異なるベース系列が選択される可能性がある。例えば、ＷＵＳの第１パート向けに選択されたベース系列は、ＷＵＳを送信するＢＳのセルに関するもの、例えば、セル識別情報を示すものであってもよい。それとは異なり、ＷＵＳの第２パートのベース系列は、ＷＵＳが向けられる１つまたは複数のＵＥに関するもの、例えば、ＵＥの識別情報に基づくものであってもよい。
【００５８】
一部の例では、異なるベース系列が、異なるＷＵＳ、具体的には、ＷＵＳの第２パート向けに選択されてもよい。特に、ベース系列は、ＷＵＳの目的の配信先に基づいて、すなわち、ＷＵＳが伝送されることになる特定のＵＥ１０２に応じて選択されてもよい。言い換えると、ベース系列は、ＷＵＳの目的の配信先として対応するＵＥ１０２に、一意的に関連付けられることが可能である場合がある。異なるＵＥが、異なるベース系列によって対象にされてもよい。したがって、ベース系列は、識別情報コードとも呼ばれる場合がある。その結果、例えば、ＵＥ関連となるＷＵＳの第２パートを実装することが可能である場合がある。
【００５９】
一部の例では、異なるベース系列が、異なるＷＵＳ、具体的には、ＷＵＳの第１パート向けに選択されてもよい。特に、ベース系列は、ＷＵＳの発信元に基づいて、すなわち、ＷＵＳを伝送する特定のＢＳ１０１に応じて選択されてもよい。言い換えると、ベース系列は、ＷＵＳの発信元として対応するＢＳ１０１に、一意的に関連付けられることが可能である場合がある。異なるＢＳまたはセルが、異なるベース系列によって識別されてもよい。したがって、ベース系列は、識別情報コードとも呼ばれる場合がある。その結果、例えば、セル関連となるＷＵＳの第１パートを実装することが可能である場合がある。
【００６０】
次に、拡散がベース系列に適用されてよい（２００２）。ビット系列を拡散するときに、入力ビット系列は、拡散系列で拡散／乗算される。これは、拡散係数Ｋによって、入力ビット配列の長さを増大させる。結果として生じるビット系列は、入力ビット系列に拡散係数を掛けたものと同じ長さである場合がある。拡散の詳細は、拡散パラメータによって設定され得る。例えば、拡散パラメータは、拡散系列、例えば、拡散系列の長さまたは拡散系列の個々のビットを指定してもよい。拡散パラメータの設定は、ＷＵＳの系列設計によって決まる場合がある。
【００６１】
次に、スクランブリングが、拡散されたベース系列に適用されてよい（２００３）。スクランブリングは、１つまたは複数の規則に従って、入力ビット系列のビットの系列を交換する、または入れ替えることに関する場合がある。スクランブリングは、入力ビット系列のランダム化を施す。スクランブリングコードに基づいて、元のビット系列は、配信先で再現可能である。スクランブリングの詳細は、スクランブリングパラメータによって設定され得る。例えば、スクランブリングパラメータにより、１つまたは複数の規則を識別できる。例えば、スクランブリングパラメータは、スクランブリングコードに関する場合がある。スクランブリングパラメータの設定は、ＷＵＳの系列設計によって決まる場合がある。
【００６２】
一部の例では、さらにＷＵＳにチェックサムを追加することが考えられる場合がある。チェックサムの追加は、ＷＵＳの系列設計によって決まる場合がある。例えば、チェックサム保護パラメータは、チェックサムを含むか、または含まないかを設定してもよい。例えば、チェックサム保護パラメータは、チェックサムの長さを設定してもよい。例えば、チェックサム保護パラメータは、例えば、異なる誤り訂正アルゴリズムなどに従って、チェックサムのタイプを設定してもよい。チェックサムは、ＷＵＳの全長にわたって、すなわち、ＷＵＳの複数のパートにわたって、結合誤り検出、および任意選択で補正能力を提供することができる。
【００６３】
一部の例では、ＷＵＳにプリアンブルを追加することが考えられる場合がある。プリアンブルは、プリアンブルビットの系列を含んでもよい。例えば、プリアンブルビットの系列は、特定の長さを有してもよい。プリアンブルビットの系列は、例えば、バースト誤りなどが存在する場合であっても、ＷＵＳの堅牢な識別を可能にする場合がある。プリアンブルの存在、プリアンブルの長さ、および／またはプリアンブル系列のタイプなどは、ＷＵＳの系列設計のプリアンブルパラメータに従って設定することができる性質のものであり得る。
【００６４】
本明細書に記載される種々の例に従って、図７の例による方法の１つまたは複数の系列設計構成は、ＷＵＳのそれぞれのパートに異なるように設定され得る。例えば、ＷＵＳの第２パートと比べて、異なる系列設計構成が第１パート向けに設定されてもよい。例えば、ＷＵＳの第２パートと比べて、より堅牢な系列設計構成が、第１パート向けに設定されてよく、これには、より長いベース系列、より長いチェックサム、および／またはより長いスクランブリングコードなどが含まれてよい。これにより、事前の同期および／またはチャネルセンシングを行わなくても、第１パートの確実な受信を容易にできる。次に、第２パートは、第１パートから得られた同期および／またはチャネルセンシングに基づいて受信されてもよい。したがって、第１パート向けのような高度な保護を、第２パートへ適用する必要がない場合がある。これにより、オーバーヘッドを低減する。
【００６５】
図８は低電力受信機１３５２によって、受信されるＷＵＳ４００３の処理に関する態様を示す。アナログフロントエンド１３６１は、ベースバンド内のＷＵＳ４００３に対応するビット系列を、デジタルフロントエンド１３６９に出力する。
【００６６】
概して、図８に示される種々の処理ブロック、同様に、送信部での相互関係のある処理ブロック（図７参照）は任意選択である。ＷＵＳのすべてのパートに対して、すべての処理ブロックが実行される必要はない。異なる処理ブロックが、ＷＵＳの異なるパートに対して実行されてもよい。
【００６７】
アナログフロントエンドでシンボルレベルバッファが設けられてもよい。次いで、復調器に基づいて、バッファのシンボル系列は、ビット系列に変換されてもよい。これは、シンボルレベルからビットレベルへの移行をマークしてもよい。次に、ビットレベル処理は、デジタルフロントエンドによってデジタルドメインで処理される。
【００６８】
例えば、各シンボルは、１つまたは複数のビットを符号化してもよい。シンボルは、受信信号の振幅および位相によって定義されることがあり、多くの場合、複素スペースで表される。シンボル当たりのビット数は、使用された変調スキームによって決まることがある。時々、シンボル当たりのビット数は、ビットローディングと呼ばれる。ビットローディングは、使用されたコンスタレーションによって決まることがある。ＷＵＳのそれぞれのパートが異なるビットローディングを用いることが可能である。
【００６９】
本明細書に記載される種々の例では、ＷＵＳ４００３を識別するために、時間領域および／または周波数領域処理が用いられる。時々、それぞれの処理は、シンボル系列に関する場合がある。代替または追加として、それぞれの処理は、ビット系列に関する場合がある。例えば、処理（例えば、相関）が受信機の高速フーリエ変換（Fast  Fourier  Transform：ＦＦＴ）出力である場合、その処理は、シンボル系列に関する場合がある。例えば、処理（例えば、相関）が復調出力、例えば、Ｍ−ＱＡＭまたはＰＳＫ出力の後である場合、その処理は、ビット系列に関する場合がある。
【００７０】
デジタルフロントエンド１３６９によるＷＵＳの処理は、例えば、ページングインジケータの処理と比べて比較的単純にすることができる。従来のＬＴＥでは、一旦、ＵＥがページングオケージョンをスケジュールされると、すなわち、ページングインジケータをリッスンするために割り当てられると、ＵＥは、ＰＤＣＣＨを復号する準備ができていると予想される。したがって、ページング信号は、Ｐ−ＲＮＴＩおよびＰ−ＲＮＴＩでスクランブルされるＰＤＣＣＨチェックサムなどの一時的な識別情報を含む場合がある。ページングインジケータは、ＰＤＣＣＨで伝送される場合がある。ＰＤＣＣＨ計算は、特にＭＴＣでは電力を消費する可能性がある。
【００７１】
それとは異なり、ＷＵＳは、ＰＤＣＣＨから独立して伝送することができる。専用リソースを、ＷＵＳに割り当てることができる。ＷＵＳは、ＵＥがＰＤＣＣＨにアクセスする前に伝送することができる。一旦、ＵＥが、そのＵＥに割り当てられたＷＵＳを検出すると、ＵＥはＰＤＣＣＨの復号を開始することができる。
【００７２】
ＷＵＳおよびページング信号は、異なる物理チャネル２６１、２６２を用いてもよい。ＷＵＳは、ＵＥ固有識別のためにページング信号に含まれているＰ−ＲＮＴＩの参照を含んでいなくてもよい。ＷＵＳは、ページング信号の受信および復号よりも、ＵＥの計算／算出の必要が少なくなるように設計することができる。
【００７３】
例えば、ＷＵＳに関しては、ターボコード、畳込み符号などの、チャネルコーディングを行うことが好ましくない場合がある。ＷＵＳは、より高次な変調では作動しないような堅牢な信号であり得る。それは、オンオフ変調（On-Of-Keying：ＯＯＫ）、ＢＰＳＫなどの低次変調であり得る。ＷＵＳは、低ピーク対平均電力比特性を有する変調スキームを用いてもよい。ＷＵＳは、具体的には、ＵＥに関連するＷＵＳのパートは、ランダムなビットおよび／または系列信号であり、ＵＥまたはＵＥのグループに割り当てられる一意なものであり得る。
【００７４】
次に、逆スクランブル機能１３６２が、逆スクランブルを実施する。
【００７５】
続いて、逆拡散機能１３６３が、適用される。
【００７６】
閾値ユニット１３６４が、その隣に設けられている。
【００７７】
系列復号器１３６５は、ビット系列への復号化アルゴリズムを用いる。最後に、送信部で用いられたベース系列が、続いて再構成される。
【００７８】
その場合、ベース系列と参照系列との間で相互相関を実施することが可能である。相互相関が有意な結果をもたらす場合、ＷＵＳ４００３は、特定のＵＥ１０２に、および場合によっては別のＵＥに対して対象とされたと判断することができる。次いで、上記相互相関に基づいて、メイン受信機１３５１を非アクティブ状態からアクティブ状態に選択的に遷移させることが可能である。
【００７９】
ベース系列の拡散および／またはスクランブリングによって、より確実な相互相関が実施可能である。例えば、ベース系列の拡散により、電波を通じて伝送されるＷＵＳ４００３向けに、より長い系列が得られる。より長い系列は、概して、相互相関を実施するときに、誤検知に対してより堅牢である。
【００８０】
一部の例では、異なる処理が、ＷＵＳの異なるパートに用いられる場合がある。例えば、ＷＵＳの第２パートと比べて、ＷＵＳの第１パートにはより単純な処理を用いることが可能である。例えば、ＷＵＳの第１パートの処理が、シンボルレベルである一方で、ＷＵＳの第２パートの処理が、ビットレベルであることが可能である。例えば、ＷＵＳの第１パートは、受信シンボル系列と、１つまたは複数の候補系列との間の相関によって処理されることが可能である。この相関は、時間領域および／または周波数領域でのものである場合がある。相関は、アナログハードウェアによって実装されてよい。したがって、ビットレベル分析は、必要とされない可能性がある。これは、ＷＵＳの第２パートの処理とは対照的である場合があり、ここで、逆スクランブリング１３６２、逆拡散１３６３、復号１３６５、および／または閾値比較１３６４を含むビットレベル処理が用いられてもよい。これは、デジタルドメインで実装される。
【００８１】
別の例では、ＷＵＳのそれぞれのパートの処理向けに、アナログフロントエンド１３６１に用いられるアナログハードウェアが異なるものであることが考えられる。例えば、より単純な時間領域および／または周波数領域・相関／アナログデジタル変換が、第１パートの受信のために用いられる一方で、より複雑な相関が、第２パートの受信に用いられる場合がある。例えば、ＷＵＳの第１パートを受信するのと比べて、ＷＵＳの第２パートを受信するときに、より多い相関が用いられてもよい。
【００８２】
別の例では、第１パートの処理、および第２パートの処理は、ビットレベル操作を含むことが可能である。しかし、ビットレベル操作の異なるタイプまたは異なる実装形態が、用いられてもよい。
【００８３】
例えば、スクランブリングコード、逆拡散および／または復号は、それぞれのパート向けに異なるように構成されてよい。例えば、逆スクランブリング１３６２は、第１パートおよび第２パート向けに用いられることが可能である。しかし、その逆拡散１３６３および復号１３６５は、第１パートなどではなく、第２パート向けのみに適用される。
【００８４】
図９は、シグナリング図である。図９は、ＵＥ１０２とＢＳ１０１との間の通信に関する態様を示す。図９は、ＷＵＳ４００３を伝送および／または受信（通信）することに関する態様を示す。本明細書に記載される種々の例に従って、図９に関して記載されるこのような技術は、ＷＵＳ４００３を通信するために用いることができる。特に、図９はまた、ＷＵＳの通信と、本明細書に記載される種々の例で用いられる場合があるページング信号４００４およびページングメッセージ４００５の通信との相互関係に関する態様を示す。
【００８５】
３００１で、制御メッセージ４００１が通信される。例えば、制御メッセージは、制御チャネル２６２、例えば、ＰＤＣＣＨで、通信される場合がある。例えば、制御メッセージは、レイヤ２またはレイヤ３制御メッセージであることがある。制御メッセージは、ＲＲＣ／上位層シグナリングに関するものである場合がある。例えば、制御メッセージ４００１は、例えば、セルに関連付けられたシステム情報ブロックでブロードキャストされる場合がある。
【００８６】
本明細書に記載される種々の例で使用される場合がある制御メッセージ４００１は、ＵＥ１０２によって実装されるウェイクアップ技術と関連する一定の特性を示してもよい。例えば、制御メッセージは、ＷＵＳの少なくとも１つのパートの堅牢性のレベルを構成してもよい。例えば、制御メッセージ４００１は、ＷＵＳ向けに用いられる変調および／またはコーディングスキーム（Modulation  and/or  Coding  Scheme：ＭＣＳ）を示してもよい。例えば、制御メッセージ４００１は、ＷＵのベース系列の長さを示してもよい。例えば、制御メッセージ４００１は、ＷＵＳ４００３の系列設計構成を示してもよい。制御メッセージ４００１を実装して、ＷＵＳ４００３の系列設計構成を示すことによって、ＷＵＳ４００３の系列設計構成を動的に調整することが可能である。
【００８７】
３００１で、制御メッセージ４００１を通信することは、任意選択である。概して、ＷＵＳの系列設計構成の種々の特徴および／または従属性は、事前に構成されてもよい。その場合、明示的な制御信号を必要としなくてもよい。
【００８８】
３００２で、ユーザデータメッセージ４００２が通信される。例えば、ユーザデータメッセージ４００２は、ペイロードチャネル２６３で通信されてもよい。例えば、ユーザデータメッセージ４００２は、例えば、ベアラの一部としてなど、データ接続１６０に沿って通信されてよい。
【００８９】
その場合、ＵＥ１０２とＢＳ１０１との間でそれ以上のデータは通信されない。伝送バッファは空である。これは、タイマをトリガしてもよい。例えば、タイマは、ＵＥ１０２に実装されていてもよい。非アクティブスケジュール２０１に従う一定のタイムアウト期間セットの後に、ＵＥ１０２のメイン受信機１３５１は、アクティブ状態から、非アクティブ状態３８４に遷移される（３００３）。このことは、ＵＥ１０２の電力消費を低減するために行われる。例えば、メイン受信機１３５１が非アクティブ状態３８４に遷移する前に、制御チャネル２６２での適切な制御シグナリングによって、データ接続１６０を解除することが可能である（図９には示さず）。４００１および４００２は、メイン受信機１３５１で通信される。非アクティブスケジュール２０１は、非アクティブ状態３８４に遷移するためのトリガ基準の実装形態の一例であり、他のトリガ基準も可能である。
【００９０】
ＷＵＳ４００３を通信する複数のウェイクアップオケージョンは、リソース２０２を再発生させることによって実装される。例えば、リソース２０２は、メイン受信機１９５１での通信に使用される時間−周波数グリッドで定義された無線リソースであってもよい。これにより、ＢＳ１０１と通信する別のＵＥとの干渉をさける。ウェイクアップオケージョンは、ページングフレームで構成されてよい。
【００９１】
ある時点で、ＢＳ１０１は、ＷＵＳ４００３を伝送する（３００４）。これは、伝送バッファ内に、ＵＥ１０２への伝送向けにスケジュールされたＤＬデータ（例えば、ペイロードデータまたは制御データ）があることが理由である場合がある。ＷＵＳ４００３の伝送に対する別のトリガ基準が考えられる。ＷＵＳ４００３は、ＵＥ１０２によって受信される。
【００９２】
ＷＵＳ４００３の受信に応じて、ＵＥ１０２のメイン受信機１３５１は、アクティブ状態に遷移する（３００５）。
【００９３】
３００６で、ページングインジケータ４００４が、ＢＳ１０１によってＵＥ１０２に伝送される。ページングインジケータ４００４は、メイン受信機１３５１によって受信される。例えば、ページングインジケータは、チャネル２６２、例えばＰＤＣＣＨで伝送されてよい。例えば、ページングインジケータは、ＵＥ１０２の一時的なまたは静的な識別を含んでもよい。ページングインジケータは、多義的な国際移動体加入者識別番号（International  Mobile  Subscriber  Identity  ：ＩＭＳＩ）など各ＵＥの一意な識別情報から導き出される場合があるので、そのインジケータは複数のＵＥを示すこともある。ページングインジケータ４００４に含まれる場合がある１つまたは複数のＵＥの識別情報の例としては、３ＧＰＰ  ＬＴＥフレームワークのページング無線ネットワーク一時識別子（Ｐ−ＲＮＴＩ）が挙げられる。Ｐ−ＲＮＴＩは、特定のＵＥではなく、ＵＥのグループを指し示す場合がある。Ｐ−ＲＮＴＩは、ページングされる加入者のＩＭＳＩから導き出され、ＢＳによって作成される場合がある。
【００９４】
例えば、ＷＵＳが既にＵＥ固有である場合、このページングインジケータは、単に制御メッセージであることがあり、例えば、Ｐ−ＲＮＴＩの代わりに、セル無線ネットワーク一時識別子（Cell  Radio  Network  Temporary  Identifier：Ｃ−ＲＮＴＩ）を含む場合がある。例えば、ページングインジケータは、ＵＥ関連インジケータを含まないが、単に、例えば、セル関連インジケータを含むことが考えられる。
【００９５】
ページングインジケータ４００４はまた、３００７で、ページングメッセージ４００５を通信するために使用されるＭＣＳに関する情報を含んでもよい。ページングメッセージ４００５は、共有チャネル２６３、例えば、ＰＤＳＣＨで通信されてよい。概して、ページングインジケータ４００４およびページングメッセージ４００５は、異なるチャネルで通信されてよい。ページングメッセージ４００５は、ページングインジケータ４００４によって示されたＭＣＳに従って、変調および符号化されてよい。したがって、ＵＥ１０２が最初にページングインジケータ４００４を、次にページングメッセージ４００５を受信することが必要である場合がある。
【００９６】
次に、３００８で、データ接続１６０が、ＵＥ１０２とＢＳ１０１との間でセットアップされる。これは、ランダムアクセスプロシージャおよび無線リソース制御（Radio  Resource  Control：ＲＲＣ）セットアップを含んでもよい。
【００９７】
最後に、３００９で、新たにセットアップされたデータ接続１６０を使用して、ＵＬまたはＤＬユーザデータメッセージ４００２が通信される。
【００９８】
図９によって明らかなように、３００５で、メイン受信機１３５１をアクティブ状態に遷移させると、データ接続１６０を再確立させる必要がある。このために、データ接続１６０がセットアップまたは継続されていない場合、メイン受信機１３５１の非アクティブ状態３８４の間、ＵＥ１０２は、アイドルモードで作動する。しかし、本明細書に記載される種々の例では、ＵＥ１０２が非アクティブ状態３８４の間に作動する特定のモードの別の実装形態が考えられる。
【００９９】
図１０は、ＵＥ１０２が作動する場合がある、それぞれのモード３０１から３０５に関する態様を示す。図１０はまた、種々のモード３０１から３０５で、ＷＵＳおよびページング信号の通信の関連付けに関する態様を示す。本明細書に記載される種々の例では、ＷＵＳは、ＵＥ１０２の一定の作動モード３０４、３０５で通信される可能性がある。
【０１００】
接続モード３０１の間、データ接続１６０は、セットアップされている。例えば、デフォルトベアラおよび任意選択で１つまたは複数の専用ベアラが、ＵＥ１０２とネットワーク１００との間でセットアップされてよい。次に、電力消費を低減するために、接続モード３０１から、メイン受信機１３５１のＤＲＸサイクルを伴う接続モード３０２に遷移することが可能である。ＤＲＸサイクルは、オン期間およびオフ期間を含む。オフ期間の間、メイン受信機１３５１は、データを受信する能力がない。ＤＲＸサイクルのタイミングは、ＢＳ１０１が接続モードＤＲＸサイクルのオン期間で任意のＤＬ伝送を整合できるように、ＵＥ１０２とＢＳ１０１との間で同期される。ベアラ／データ接続１６０は、モード３０２でのセットアップが維持される。
【０１０１】
さらなる電力低減を達成するために、アイドルモード３０３で実装することが可能である。アイドルモード３０３もまた、ＵＥ１０２のメイン受信機１３５１のＤＲＸサイクルと関連付けられる。しかし、アイドルモード３０３のＤＲＸサイクルのオン期間の間、メイン受信機１３５１は、ページングインジケータおよび任意選択でページングメッセージを受信するためのみに適合される。例えば、これは、アイドルモード３０３でのＤＲＸサイクルのオン期間の間、メイン受信機１３５１によって、監視される必要がある特定の帯域幅を制約することを助力する可能性がある。これにより、例えば、接続モード３０２と比べて、電力消費のさらなる低減を助力することができる。
【０１０２】
モード３０１から３０３では、メイン受信機１３５１は、アクティブ状態で作動される。低電力受信機１３５２は、必要とされない。
【０１０３】
図１０の例では、さらに２つのモード３０４、３０５が示されている。モード３０４、３０５の両方は、メイン受信機１３５１が非アクティブ状態３８４で作動される場合のシナリオに関する。それゆえ、モード３０４、３０５の間、メイン受信機１３５１は、持続的にスイッチが切られ、特に、いかなるオン期間の間もスイッチを入れられない。それとは異なり、モード３０４、３０５の間に、例えば、低電力受信機１３５２の対応するＤＲＸサイクルに従って、低電力受信機１３５２は、アクティブ状態で少なくとも時々作動する。
【０１０４】
モード３０４では、データ接続１６０は、ＵＥ１０２とネットワーク１００との間で継続される。例えば、それぞれのレジストリエントリが、例えば、ＭＭＥ１１６などのコアネットワークモビリティノードで、ＵＥ１０２およびネットワーク１００によって継続されてよい。モード３０４への遷移は、非アクティブスケジュール２０１によって決定されてよい。モード３０４では、ＷＵＳの通信に応じて通信される別の信号が、データ接続１６０に関連付けられたユーザデータメッセージを直接符号化することが考えられる。ランダムアクセスプロシージャは必要とされない。したがって、このような例では、ネットワーク１００とＵＥ１０２との間のデータ接続１６０が確立されてよく、次に、接続１６０が確立されている間、ＷＵＳは通信されてよい。このようなシナリオでは、ＢＳ１０１は、メイン受信機１２５１の非アクティブスケジュール２０１に応じて、ＤＬ共有チャネルのＤＬユーザデータメッセージに割り当てられたリソースを示すＤＬスケジューリンググラントを伝送するか、ＷＵＳを伝送するかを選択しなければならない場合がある。ＵＥ１０２は、モード３０４で、ＤＬ制御情報（DL  Control  Information：ＤＣＩ）を繰返しリッスンする必要はない。モード３０４は、場合によっては、より複雑な管理作業を要しながら、例えば、ＢＳ１０１によるペイロードデータの低遅延伝送を提供する。
【０１０５】
それとは異なり、モード３０５では、ＵＥ１０２とネットワーク１００との間のデータ接続１６０は継続されない。ページングによってトリガされるランダムアクセスプロシージャが、必要とされる場合がある（図１０参照）。
【０１０６】
図１０の例では、低電力受信機モード３０４、３０５の両方が、低電力受信機１５３２のＤＲＸサイクルを実装するシナリオが示されている。したがって、ＷＵＳ４００３は、ＤＲＸサイクルのタイミングに応じて通信される。しかし、概して、低電力受信機１３５２が、持続的にＷＵＳを受信するように適合されるように、すなわち、オン期間およびオフ期間を実装せずに、モード３０４、３０５を実装することも可能である。
【０１０７】
図１１は、それぞれのモード３０１から３０５の間の切換に関する態様を示す。さらに、図１１は、ＤＲＸサイクル３７０を用いる態様も示す。ＷＵＳの通信に関して本明細書に記載される種々の例の前述の技術を用いることが可能である。
【０１０８】
まず、ＵＥ１０２は、接続モード３０１で作動する。これにより、メイン受信機１３５１がアクティブ状態３８１で持続的に作動するので、高レベルで持続的な電力消費が生じる。アクティブ状態３８１は、一定の電力消費と結び付けて考えられる。その場合、電力消費を低減するために、ＤＲＸを用いる接続モード３０２が起動される。ここでは、アクティブ状態３８１および非アクティブ状態３８４で選択的に作動しているメイン受信機１３５１のオン期間３７１およびオフ期間３７２が示されている。
【０１０９】
さらに電力消費を低減するために、次に、アイドルモード３０３が起動される。これは、データ接続１６０を解除することを伴う。再び、アイドルモード３０３は、オン期間３７１およびオフ期間３７２を含むＤＲＸサイクルを用いる。アイドルモード３０３では、接続モード３０２と比べると、アクティブ状態３８２で作動しているメイン受信機１３５１の可能出力を減らすことができるので、モード３０３でのオン期間３７１は、接続モード３０２でのオン期間３７１と比べると、より低い電力消費と結び付けて考えられる。アイドルモード３０３の間のアクティブ状態３８２のときに、メイン受信機１３５１は、ページング信号の受信のみを予測する。
【０１１０】
最後に、さらに電力消費をいっそう低減するために、アイドルモード３０５が起動される。アイドルモード３０５に遷移するとすぐに、メイン受信機１３５１は、アクティブ状態３８１、３８２から非アクティブ状態３８４に持続的に遷移する。ＤＲＸサイクル３７０は、再び、ＤＲＸサイクル長３７５に従ってオン期間３７１およびオフ期間３７２を含んで実装される。ここで、オン期間３７１は、ウェイクアップオケージョンを画定する。ＤＲＸサイクルは、低電力受信機１３５２をアクティブ状態３８３と、非アクティブ状態３８４との間で切り換えることによって実装される（図１１の破線）。
【０１１１】
種々の状態３８１から３８４は、例証のみである。図では、メイン受信機が、ＤＲＸ接続モード３０２のときに完全な非アクティブ状態３８４に遷移せず、むしろ、オフ期間３７２では、３８１と３８４との間の中間状態であると見なすことができると考えられる。
【０１１２】
図１２は、アイドルモード３０３でＵＥを作動させることに関する態様を示す。特に、図１２は、ページング信号／インジケータ４００４およびページングメッセージ４００５をリッスンすることに関する態様を示す。図１２はまた、参考実装形態に従うＵＥ１０２とＢＳ１０１との同期、およびチャネルセンシングを実施することに関する態様も示す。
【０１１３】
６００１では、オフ期間３７２が満了して、オン期間３７１が開始する。この時点では、ＵＥ１０２の受信機１３５１は、ページング信号４００４を受信するために適合されるアクティブ状態３８２に遷移される（図１１参照）。しかし、６００２で、ページング信号４００４を受信する前に、ＵＥ１０２は、受信機１３５１を介して同期信号を受信する。
【０１１４】
同期信号４１０１は、繰返しのタイミングパターンに従って、ＢＳ１０１によってブロードキャストされる。例えば、同期信号が、時間−周波数リソースマッピングの所定のリソースエレメントでＢＳ１０１によってブロードキャストされることが考えられる。同期信号は、伝送フレームの複数のサブフレームで繰返しブロードキャストされる場合がある。通常は、同期信号の繰返し率は、１ｍｓから２０ｍｓのオーダー、典型的には５ｍｓ周辺のオーダーである場合がある。同期信号４１０は、ＰＳＳまたはＳＳＳである場合がある。
【０１１５】
同期信号に基づいて、時間領域および周波数領域の両方で、ＢＳ１０１とＵＥ１０２との同期が可能である。
【０１１６】
次に、６００３で、場合によりパイロット信号またはチャネル参照信号（Channel  Reference  Signal：ＣＲＳ）とも呼ばれる参照信号４１０２が、受信される。参照信号４１０２は、一定の繰返し率で、例えば、同期信号４１０１について上述したのと同じオーダーで、ブロードキャストされる場合がある。参照信号４１０２の例は、3GPP  TS  36.21  1  V.14.0.0  (201  6-09),  section  5.5に記載されている。
【０１１７】
参照信号４１０２に基づいて、チャネルセンシングが実施可能である。チャネルセンシングは、ＢＳ１０１とＵＥ１０２との間のチャネルの通信信頼性測定を容易にする。例えば、セルエッジシナリオでは、チャネルの品質が低下する可能性があり、この場合、チャネルの通信信頼性は著しく低くなる。したがって、より良好な品質のチャネルを提供する１つまたは複数の別のセルの検索が、開始される場合がある（図１２には示さず）。
【０１１８】
しかし、ＵＥ１０２とＢＳ１０１との間のチャネルの通信信頼性が充分である場合、６００４で、ページング信号４００４を受信することができる。ページング信号４００４は、ＵＥ１０２に関連付けられたインジケータを含む場合があり、その場合、６００５で、ページングメッセージ４００５を受信することができる。図１２のシナリオでは、６００４で、特定のＵＥ１０２はページングされず、その場合、ページングメッセージ４００５は受信されない。したがって、受信機１３５１は、後続のオフ期間３７２の間、非アクティブ状態３８４に再び遷移する。ページングメッセージ４００５を受信する場合のＰＤＳＣＨでのブラインド復号は必要とされない。
【０１１９】
図１３は、アイドルモード３０５でＵＥを作動させることに関する態様を示す。具体的には、図１３は、ＷＵＳ４００３、ページング信号４００４およびページングメッセージ４００５をリッスンすることに関する態様を示す。図１３はまた、参考実装形態に従うＵＥ１０２とＢＳ１０１との同期およびチャネルセンシングに関する態様を示す。
【０１２０】
図１３のシナリオは、概して、図１２のシナリオに対応している。しかし、図１３のシナリオでは、６００４で、ページング信号４００４を受信する前に、６００６で、ＷＵＳ４００３が受信される。ＷＵＳ４００３は、ＤＲＸサイクル３７０で、時間整合されて通信される。６００６でＷＵＳの受信を可能にするために、６００２で、ＢＳ１０１によってブロードキャストされる同期信号４１０１が受信され、かつ６００３で、ＢＳ１０１によってブロードキャストされる参照信号４１０２が受信される。
【０１２１】
図１２および１３のシナリオでは、同期信号４１０１および参照信号４１０２を受信するために充分な時間を準備する必要があることにより、ページング信号４００４の受信は遅れる。また、同期信号４１０１および参照信号４１０２の受信に対する電力消費は、著しく大きい。したがって、本明細書に記載される例に従って、同期信号４１０１および参照信号４１０２の受信を不要にする先進のＷＵＳの使用が考えられる。このようなＷＵＳに関する詳細は、図１４と共に説明される。
【０１２２】
図１４は、ＷＵＳ７００に関する態様を示す。ＷＵＳ７００は、第１パート７１１および第２パート７１２を含む。図１４の例では、第１パート７１１および第２パート７１２は、同じ周波数を占めており、かつ即座に連続して伝送される。
【０１２３】
第１パート７１１は、ＷＵＳ７００を伝送するＢＳに関連付けられたセルに関連したものであってよい。それとは異なり、第２パート７１２は、ＷＵＳ７００が対象にされる１つまたは複数のＵＥ１０２に関連したものであってよい。概して、第２パート７１２は、任意選択である。
【０１２４】
例えば、第１パート７１１および第２パート７１２は、共通チェックサムを共有する場合がある。したがって、チェックサムは、第１パート７１１のデータと、第２パート７１２のデータの両方に基づいてもよい。これにより、オーバーヘッドを低減する。
【０１２５】
例えば、ＷＵＳ７００の第１パート７１１が、ＢＳ１０１とＵＥ１０２との時間−周波数同期向けの同期信号７２１を含むことが考えられる。したがって、第１パート７１１に含まれる同期信号７２１は、ＢＳ１０１によってブロードキャストされる同期信号４１０１に従った機能性を実装することができる。さらに、同期信号７２１が、ＷＵＳ７００に含まれるので、同期信号７２１の繰返し率は、同期信号４１０１の繰返し率とは大きく異なる可能性がある。すなわち、主として、モード３０４、３０５のＤＲＸサイクルの周期３７５は、１分を超える場合があり、場合により、１０分を超える場合があるが、その一方で、ブロードキャストされる同期信号４１０１の周期は、５０ｍｓ未満、場合によっては５ｍｓ未満である場合がある。
【０１２６】
ＷＵＳ７００の第１パート７１１はまた、ＢＳ１０１とＵＥ１０２との間のチャネルのチャネルセンシング向けの参照信号７２３を含んでもよい。参照信号７２３は、概して、チャネルセンシングに関して対応する機能性を実装できるので、参照信号４１０２に相応する場合がある。しかし、同期信号７２１、４１０１に関して上述したのと同じように、ブロードキャストされた同期信号４１０２の周期は、数ミリ秒のオーダーである場合があるが、その一方で、第１パート７１１に含まれる同期信号７２１の周期は、ＤＲＸサイクル３７０と時間整合されて伝送されるので、分のオーダーである場合がある。
【０１２７】
代替または追加として、ＷＵＳ７００の第１パート７１１が、ＷＵＳ７００を伝送するＢＳ１０１に関連付けられたセルのセル識別情報７２２を含むことが可能である。一部のシナリオでは、セル認識情報７２２は、同期信号７２１および／または参照信号７２３内に符号化されてもよい。セル識別情報に基づいて、ＵＥ１０２の移動を追跡することが可能である。
【０１２８】
上記から明らかなように、同期信号７２１、参照信号７２３、およびセル識別情報７２２のすべては、ＷＵＳ７００の目的の配信先であるＵＥ１０２に対して固有のものではない。したがって、第１パート７１１は、目的の配信先であるＵＥ１０２ではなく、ＷＵＳ７００を伝送するＢＳ１０１のセルに関連する。これは、第２パート７１２とは異なる。
【０１２９】
ＷＵＳ７００の第２パート７１２が、１つまたは複数のＵＥの識別情報７３１を含むシナリオが、図１４に示される。これは、次の潜在的なページング信号４００４に関連する個々のＵＥまたはＵＥのグループを対象とすることを助力する。このような第２パート７１２は、１つまたは複数のＵＥに関連してもよい。
【０１３０】
ＷＵＳ７００の第１パート７１１を生成するために、図７と共に記載されている技術を用いることができる。同様に、ＷＵＳ７００の第２パート７１２を生成するために、図７と共に記載されている技術を用いてもよい。異なる系列設計構成が、それぞれのパート７１１、７１２向けに選択されてよい。例えば、第１パート７１１を生成するときにセル固有ベース系列が選択されてよく、その一方で、第２パート７１２を生成するときに、ＵＥ固有ベース系列が選択されてよい。ベース系列の長さ、ＣＲＣビットの数、拡散係数、使用される系列生成部の特定のタイプなど、または、概して、系列設計が、第１パート７１１および第２パート７１２向けに異なるように選択されることが可能である。具体的には、ＵＥ１０２とＢＳ１０１との間の同期を得ることに先立って、第１パート７１１の確実な受信を可能にするために、第２パート７１２と比べて、より堅牢な系列設計構成が第１パート７１１向けに選択されることが可能である。代替または追加として、系列設計は、ＤＲＸ周期３７５に応じて選択されることが考えられる。例えば、ＤＲＸ周期３７５が長くなるほど（短くなるほど）、系列設計はより堅牢になる（堅牢でなくなる）。例えば、より長いＤＲＸ周期３７５に対して、ＷＵＳがＤＲＸサイクル３７０と時間整合されて通信される場合の関連するモード３０４、３０５では、より短いＤＲＸ周期３７５と比べて、より長いベース系列、ＣＲＣビットのより長いカウント、および／またはより堅牢な拡散係数が選択されてよい。これは、より長いＤＲＸ周期３７５では、ＵＥ１０２とＢＳ１０１との間のタイミング変動／クロック変動がより大きい可能性があるという発見に基づき、したがって、より堅牢な系列設計は、長いＤＲＸ周期３７５が発生する場合に、増大したタイミング変動を補償することを助力する。また、ＵＥの移動は、より長いＤＲＸ周期３７５で発生する可能性がある。続いて、より長い参照信号７２３は、チャネルセンシングを正確に実施することを助力する場合がある。それゆえ、概して、第１パート７１１の長さは、ＤＲＸサイクル３７０の周期性３７５と相関する場合がある。
【０１３１】
図１４では、別個の同期信号７２１および別個の参照信号７２３が、ＷＵＳ７００に含まれる場合のシナリオが示されている。その他の例では、同期およびチャネルセンシングが、ＷＵＳ７００に含まれる参照信号によって容易になることが考えられる。このような例では、プリアンブル、すなわち第１パート７１１は、参照信号で構成されてよく、その第１パート７１１は、同期およびチャネルセンシングの手段を提供する。
【０１３２】
図１５は、アイドルモード３０４でＵＥを作動させることに関する態様を示す。具体的には、図１５は、第１パート７１１と第２パート７１２、ページング信号４００４、およびページングメッセージ４００５を含むＷＵＳ４００３のリスニングに関する態様を示す。ＷＵＳ７００の第１パート７１１は、ＷＵＳ７００を受信する役割を担うそれぞれの受信機１３５１、１３５２の非アクティブ状態３８４からアクティブ状態３８４への遷移に応じて受信される（図１１参照）。
【０１３３】
図１５のシナリオは、概して、図１３のシナリオに対応する。やはり、この場合も、ＷＵＳ７００は、ＵＥ１０２のＤＲＸサイクル３７０に時間整合されて通信される。ＷＵＳ７００は、ＢＳ１０１によって伝送され、かつＵＥ１０２によって受信される。しかし、ＵＥ１０２は、ＷＵＳ７００の第１パート７１１に含まれる同期信号７２１に基づいてＢＳ１０１と同期して、続いて上記同期に基づいてＷＵＳの第２パート７１２を受信することが可能である。同期信号７２１に基づく同期が失敗する場合、ＷＵＳ７００の第２パート７１２は受信されない。具体的には、ＷＵＳ７００の第２パート７１２は、正確に復号されない場合がある。したがって、第２パート７１２は、上記同期に基づいて選択的に受信される。
【０１３４】
図１３と図１５との比較により理解されるように、図１５のシナリオでは、ＷＵＳ７００を受信するための受信機１３５１、１３５２の非アクティブ状態３８４からアクティブ状態３８３への遷移の間、およびＷＵＳ７００の第１パート７１１を受信するまで、ＵＥ１０２は、ＢＳ１０１と同期しない。言い換えると、ＷＵＳ７００の第１パート７１１を受信する前に、ブロードキャストされるいずれの同期信号４１０１も受信することを必要としない。むしろ、ＷＵＳ７００の第１パート７１１は、ＷＵＳ７００を受信するためのＵＥ１０２の受信機１３５１、１３５２の非アクティブ状態３８４からアクティブ状態３８３への遷移に応じて受信される。ＷＵＳ７００の受信、および受信機１３５１、１３５２のアクティブ状態３８３への遷移に応じる前に、トリガ条件は、必要とされなくてよい。これにより、遅延が低減され、かつ、ＵＥ１０２での電力消費が低減される。
【０１３５】
追加として、参照信号７２３に基づいて、またはＷＵＳ７００の第１パート７１１に含まれる同期信号７２１と参照信号７２３との組み合わせに基づいて、ＵＥ１０２は、ＢＳ１０１とＵＥ１０２との間のチャネルのチャネルセンシングを実施する。チャネルは、無線リンク１１１に沿って、ＵＥ１０２とＢＳ１０１との間で交換される電磁波の特性と関連する場合がある。したがって、ＷＵＳ７００の第２パート７１２が、受信されるか、または受信されないかは、チャネルセンシングの結果によって決まる（すなわち、選択的に受信される）。例えば、チャネルセンシングの品質が、閾値を下回る品質を示す場合、すなわち、通信信頼性が低い場合、ＷＵＳ７００の第２パート７１２を受信する試みは、行われない場合がある。それとは異なり、チャネルセンシングの品質が、閾値を上回る品質を示す場合、すなわち、通信信頼性が許容範囲内である場合、ＷＵＳ７００の第２パート７１２を受信する試みが行われてよい。
【０１３６】
例えば、上記チャネルセンシングの結果が低い通信信頼性を示す場合、フォールバック方式を行うことが考えられる。このようなフォールバック方式は、例えば、その他の適切な１つまたは複数のＢＳを特定するために、周期的にブロードキャストされる別の１つまたは複数の参照信号４１０２を受信することを含んでもよい。ＷＵＳの第１パート７１１に基づく同期を得ることができない場合に、類似の選択肢が利用可能な場合がある。
【０１３７】
ＷＵＳ７００の第１パート７１１に含まれるセル識別情報７２２が、参照セル識別情報と比較されることが考えられる。例えば、参照セル識別情報は、ＵＥ１０２がＤＲＸサイクルのオン期間３７１で直前にキャンプしたセルの識別情報に対応する場合がある。続いて、参照セル識別情報とセル識別情報７２２とが一致する場合、ＵＥは移動しなかったと想定することができ、同様に、参照セル識別情報とセル識別情報７２２とが一致しない場合、ＵＥが移動したと想定することができる。セル識別情報７２２と参照セル識別情報とのこのような比較に応じて、ＷＵＳ７００の第２パート７１２の選択的な受信が可能である。例えば、一致しない場合、ＵＥが移動して、ＵＥの移動に関する別の確認をまずは実施する必要があるので、ＷＵＳ７００の第２パート７１２の受信は必要とされない場合がある。
【０１３８】
第２パート７１２のこのような選択的受信は、ＵＥ１０２での電力消費を低減することを助力できる。具体的には、例えば、チャネル品質が低い、ＵＥが移動した、または同期が失われたなどの場合に、不必要な復号の試行を回避することができるので、平均して、ＵＥ１０２の電力消費は低減され得る。
【０１３９】
図１６は、種々の例に従った方法のフロー図である。例えば、図１６の例に従った方法は、ＢＳ１０１によって、例えば、ＢＳ１０１の制御回路１０１２によって実行することができる。
【０１４０】
まず、ブロック９００１で、ＤＲＸサイクルのオン期間が開始したかどうかを確認する。
【０１４１】
ＤＲＸサイクルのオン期間が開始していた場合、ＷＵＳのセル関連第１パートが伝送される（ブロック９００２）。それゆえ、ＷＵＳ７００は、ＤＲＸサイクルと時間整合されて通信される。
【０１４２】
例えば、図１４および１５の例に従ったＷＵＳ７００が伝送される場合がある。ＷＵＳの第１パートを生成するために、図７の方法に従った技術が用いられてよい。系列設計は、ＤＲＸ周期に応じるものであってよい（例えば、ＵＥの移動、タイミング、変動などの可能性に応じて堅牢性が調整されるものであってよい）。
【０１４３】
次に、９００３で、所定のＵＥに対して待ち行列に入れられた下りリンクデータ、例えば、場合によってはペイロードデータとも呼ばれるアプリケーション層データがあるかどうかが確認される。待ち行列に入れられた下りリンクデータがない場合、ブロック９００１で方法は開始される。待ち行列に入れられた下りリンクデータがある場合、ウェイクアップ信号のＵＥ関連第２パートは伝送される（ブロック９００４）。例えば、ＷＵＳの第２パートは、待ち行列に入れられた下りリンクデータがそれに対して存在する、対応するＵＥの識別情報を含んでいる場合がある。
【０１４４】
図１６のフロー図との例とは別の方法が考えられる。例えば、ブロック９００１および９００３が、１つのオケージョンで実施される方法が実行される場合がある。ＤＲＸサイクルが開始されていた場合、例えば、ＤＲＸサイクルのオン期間が開始していて、かつ待ち行列に入れられたデータがない場合、第１パート９００２のみが伝送され、またデータがある場合、２つのパート９００２および９００４が連続して伝送される。
【０１４５】
ＷＵＳの第２パートの生成のために、図７と共に説明された技術を用いることができる。
【０１４６】
図１７は、種々の例に従った方法のフロー図である。例えば、図１７に従った方法は、ＵＥ１０２の制御回路１０２２によって実行されてよい。任意選択のブロックが、破線で表されている。
【０１４７】
ブロック９０１１で、ＵＥは、ＷＵＳの第１パートを受信する。これには、アナログフロントエンドを介して物理層で信号形式を取得することと、信号形式を復号することとが含まれてよい（図８参照）。
【０１４８】
ＷＵＳの第１パートは、ＷＵＳを伝送するＢＳと関連付けられたセルの識別情報を含む。ブロック９０１２では、この識別情報が読み出されて、ブロック９０１３で確認される（例えば、１つまたは複数の参照セル識別情報と比較される）。
【０１４９】
セル識別情報が、既にサービングしているセルに対応していると判断される場合、ブロック９０１４で、チャネルセンシングが実施される。図１６の例では、これは電力測定を含む。概して、チャネルセンシングは、ＷＵＳの第１パートに含まれている参照信号に基づくものであってよい。
【０１５０】
ブロック９０１５では、チャネルセンシングの結果が、閾値と比較される。具体的には、図１６の例では、検出された電力が閾値を上回るかどうかが確認される。
【０１５１】
ブロック９０１４および９０１５は任意選択である。例えば、別の実施形態では、９０１３でセル識別情報が正確に識別される場合、方法は、直接９０１６で開始してもよい。
【０１５２】
このケースの場合、ＷＵＳの第２パートは、ブロック９０１６で受信される。これは、アナログフロントエンドを介した読み出しから、信号の対応するパートを復号することを含む。ＷＵＳの第２パートは、ＵＥに関連し、対応する識別情報を含む場合がある。
【０１５３】
ブロック９０１３で、ＷＵＳが異なるセルに関連付けられたＢＳから発信されたものと判断される場合、９０１７で、フォールバックプロシージャがトリガされる。具体的には、図１６の例では、ブロードキャストされた同期信号および／またはブロードキャストされた参照信号の受信、および／またはランダムアクセスプロシージャの実施を含む従来プロシージャによる初期アクセスが実行される。ブロック９０１５で確認されたチャネルセンシングが、品質が不十分であると示す場合も、ブロック９０１７は実行される。ブロック９０１７の代替の実装形態は、新しいセルを発見するためのセル再選択を含む。
【０１５４】
以上の説明されてきたＷＵＳの通信技術について要約する。ＷＵＳは、第１パートおよび第２パートを含む。第２パートは、１つまたは複数のＵＥに関連する場合があり、その一方で、第１パートは、プリアンブル機能を実装して、第２パートの堅牢な受信を回避することができる。このプリアンブル機能は、時間領域および／または周波数領域同期、セル識別情報に基づく移動性検出、および／またはチャネルセンシングを含むことができる。したがって、第１パートは、対応するセルのＢＳによってサービングされるすべてのＵＥに対して同じものであってもよい（すなわちセル関連のものであってよい）。
【０１５５】
第１パートは、セル識別情報に関連する情報を含んでもよい。例えば、これは、サービングセル識別情報であるか、またはサービングセル識別情報を示す系列である場合がある。第１パートは、典型的には、サービングセル内のすべてのＵＥに対して同じものである（すなわちセル固有である）。第１パートは、ページングオケージョンまたはＷＵＳリスティング間隔と同じ周期で伝送される。さらに、第１パートは、良好な相関特性を有する信号／系列で設計することができ、かつＣＲＳおよび／またはＰＳＳ／ＳＳＳなどのいずれの従来の同期信号も使用する必要なく、非コヒーレントに検出することができる。したがって、ＵＥによって受信されるときに、同期目的で、またセルカバレッジ内にＵＥが依然としているというインジケーションを得るセル認識情報インジケータによる助力と共に、第１パートは使用され得る。時間／周波数変動が、同期の間の非アクティブの長さ、すなわち、ＤＲＸ周期／間隔によって一定の比率と見なされる場合があるので、典型的には、再同期に必要とされる情報の量は、より長いＤＲＸ周期に対してより大きなものとなる。したがって、第１パートの長さは、ＤＲＸの長さに関連して構成可能である場合がある。第１パートを導入することの追加の利点は、クロック変動に起因する大きな時間および周波数オフセットがないようにすることを助力することである。
【０１５６】
ＵＥへの伝送で待ち行列に入れられたＤＬデータがある場合にのみ、ＷＵＳの第２パートは、ＢＳによって伝送されてもよい。同期目的で使用できるように第１パートが設計される場合、第２パートは、何かしら短くなる場合があるが、依然として、非コヒーレントに検出され得る。それはまた、第１パートのみを伴うＷＵＳを伝送する場合（例えば、第２パートが、周期的に伝送される必要がない）があることも意味する。この場合、所定のＵＥは、第１パートを受信し、かつその第１パートをサービングセル測定のために使用する。
【０１５７】
ＵＥは、一部の予め定められたオケージョンでのＷＵＳ向けのチャネルを監視するときに、まず第１パートが判断する復号化およびサービングセルの信号強度によってセル識別情報インジケータを確認する。信号のレベルが、受信信号強度によって判断された一定のレベルを超えて、セル識別情報インジケータ、および考えられる一部のその他の信号能力基準が適正である場合、ＵＥは、第２パートが存在するかどうかの確認を続けて行う。ＵＥが、そのＵＥに関する一定の情報を搬送する第２パートを検出する場合、ＵＥは、ＷＵＳが検出されて、ページング信号および／またはページングメッセージの受信のためにＭＰＤＣＣＨおよびＰＤＳＣＨを（必要であればいつでも）復号することを続けて行うことを知らせる。
【０１５８】
チャネル品質のレベルが、サービングセル信号強度基準を満たしていないか、またはセル識別情報インジケータが適正でない場合、ＵＥは、第２パートの復号を中止し、従来と同様のプロシージャに入り（すなわちＵＥは可能な従来のＰＳＳ／ＳＳＳ信号の受信を開始し）、必要な場合、その時点でＵＥ測定動作を制限している測定規則に関係なく、サービングセルによって示される隣接するセルのすべての測定を実施する。
【０１５９】
説明してきた例を以下に要約する。
【０１６０】
例１。端末（１０２）を作動させる方法であって、方法は、基地局（１０１）からウェイクアップ信号（７００）の第１パート（７１１）を受信することと、任意選択で、基地局（１０１）からウェイクアップ信号（７００）の第２パート（７１２）を受信することとを含み、第１パート（７１１）は、基地局（１０１）に関連付けられたセルに関し、かつ第２パート（７１２）は端末（１０２）に関するものである。
【０１６１】
例２。例１の方法は、ウェイクアップ信号（７００）の第１パート（７１１）に含まれている同期信号（７２１）に基づいて、端末を基地局（１０１）と同期させることと、上記同期に基づいて、ウェイクアップ信号（７００）の第２パート（７１２）を選択的に受信することとをさらに含む。
【０１６２】
例３。例１または２の方法は、ウェイクアップ信号（７００）の第１パート（７１１）に含まれている参照信号（７２３）に基づいて、基地局（１０１）と端末（１０２）との間のチャネルのチャネルセンシングを実行することと、チャネルセンシングの結果に応じて、ウェイクアップ信号（７００）の第２パート（７１２）を選択的に受信することとをさらに含む。
【０１６３】
例４。例２または３の方法は、上記同期および上記チャネルセンシングの結果のうち少なくとも１つに応じて、ウェイクアップ信号（７００）に含まれていない、少なくとも１つの周期的にブロードキャストされた別の参照信号（４１０２）を選択的に受信することをさらに含む。
【０１６４】
例５。前述の例のうちいずれか１つの方法は、基地局（１０１）に関連付けられ、かつ第１パート（７１１）に含まれているセルのセル識別情報（７２２）を、参照セル識別情報と比較することと、上記比較に応じて、ウェイクアップ信号（７００）の第２パート（７１２）を選択的に受信することとをさらに含む。
【０１６５】
例６。前述の例のうちいずれか１つの方法は、端末（１０２）の受信機を非アクティブ状態（３８４）からアクティブ状態（３８３）に遷移させることをさらに含み、ウェイクアップ信号（７００）の第１パート（７１１）は上記遷移に応じて受信されるものである。
【０１６６】
例７。例６の方法は、端末（１０２）の受信機の非アクティブ状態（３８４）からアクティブ状態（３８３）への上記遷移の間、および、ウェイクアップ信号（７００）の第１パート（７１１）の上記受信まで、基地局（１０１）と同期しないことをさらに含む。
【０１６７】
例８。ネットワーク（１０）の基地局（１０１）を作動させる方法は、ウェイクアップ信号（７００）の第１パート（７１１）を伝送することと、ウェイクアップ信号（７００）の第２パート（７１２）を任意選択で伝送することとを含み、第１パート（７１１）は、基地局（１０１）に関連付けられたセルに関し、かつ第２パート（７１２）は端末（１０２）に関するものである。
【０１６８】
例９。例８の方法は、下りリンクデータが端末（１０２）への伝送向けに待ち行列に入れられているかどうかを確認することをさらに含み、ウェイクアップ信号（７００）の第２パート（７１２）は、上記確認に基づいて選択的に伝送される。
【０１６９】
例１０。前述の例のうちいずれか１つの方法では、第１パート（７１１）が、第２パート（７１２）のプリアンブルとして構成される。
【０１７０】
例１１。前述の例のうちいずれか１つの方法では、ウェイクアップ信号（７００）の第１パート（７１１）は、基地局（１０１）と端末（１０２）との時間−周波数同期のための同期信号（７２１）を含む。
【０１７１】
例１２。前述の例のうちいずれか１つの方法では、ウェイクアップ信号（７００）の第１パート（７１１）は、基地局（１０１）と端末（１０２）との間のチャネルのチャネルセンシングのための参照信号（７２３）を含む。
【０１７２】
例１３。前述の例のうちいずれか１つの方法では、ウェイクアップ信号（７００）の第１パート（７１１）は、基地局（１０１）と関連付けられたセルのセル識別情報（７２２）を含む。
【０１７３】
例１４。前述の例のうちいずれか１つの方法では、ウェイクアップ信号（７００）の第２パート（７１２）は、端末（１０２）の端末識別情報（７３１）を含む。
【０１７４】
例１５。前述の例のいずれか１つの方法では、ウェイクアップ信号（７００）は、端末（１０２）の間欠受信サイクル（３７０）で、時間整合されて通信される。
【０１７５】
例１６。例１５の方法では、第１パート（７１１）の長さは、間欠受信サイクル（３７０）の周期（３７５）と相関する。
【０１７６】
例１７。前述の例のいずれか１つの方法では、ウェイクアップ信号（７００）の第２パート（７１２）の第２系列設計構成は、ウェイクアップ信号（７００）の第１パート（７１１）の第１系列設計構成よりも堅牢ではない。
【０１７７】
例１８。端末（１０２）が備える制御回路（１０２２）は、基地局（１０１）からウェイクアップ信号（７００）の第１パート（７１１）を受信することと、基地局（１０１）からウェイクアップ信号（７００）の第２パート（７１２）を任意選択で受信することと、を実施するように構成され、第１パート（７１１）は、基地局（１０１）に関連付けられたセルに関し、かつ第２パート（７１２）は端末（１０２）に関するものである。
【０１７８】
例１９。例１８の端末では、制御回路（１０２２）は、例１〜７または１０〜１７のうちいずれか１つの方法を実施するように構成される。
【０１７９】
例２０。ネットワーク（１００）の基地局（１０１）、基地局が備える制御回路（１０１２）は、ウェイクアップ信号（７００）の第１パート（７１１）を伝送することと、ウェイクアップ信号（７００）の第２パート（７１２）を任意選択で伝送することとを実施するように構成され、第１パート（７１１）は、基地局（１０１）に関連付けられたセルに関し、かつ第２パート（７１２）は端末（１０２）に関するものである。
【０１８０】
例２１。例２０の基地局（１０１）では、制御回路（１０１２）は、例８〜１７のうちいずれか１つの方法を実施するように構成される。
【０１８１】
本発明は、一定の例および実施形態の参照と共に説明されてきたが、本発明は、そのような例および実施形態によって制限されるものではない。むしろ、添付の特許請求の範囲から理解されるように本発明によって、様々な変更が包括される。
【０１８２】
例示のために、ＵＥでチャネルセンシングおよび同期のために別々の信号が用いられる種々の例が説明された。しかし、概して、セル識別、同期、およびチャネルセンシングの組み合わせた形式を提供する可能性がある信号を実装することが考えられる。
【０１８３】
さらに、例えば、チャネルセンシングは、概して、別個の信号が必要でない場合があるが、同期信号および／または参照信号を使用する際には、必要とされる可能性がある。両方の信号の組み合わせが、チャネルセンシング測定精度を向上させる可能性がある。基地局は、これらの２つの信号が別々に送信される場合に、それらの２つの信号間の相対的な電力差をＵＥに通知する必要がある場合がある。
【０１８４】
別の例示について、ＷＵＳの第２パートを選択的に受信するための種々の判断基準を用いた種々のシナリオが前述された。例示的な判断基準は、ＢＳとの同期、チャネルセンシング、およびセル識別情報を含む。本明細書に記載される種々の例では、このような判断基準を互いに柔軟に組み合わせることが可能である。例えば、判断基準として同期を使用するのではなく、判断基準としてチャネルセンシングを使用することが可能である。
【図１】
2021502028.tif 000003
【図２】
2021502028.tif 000004
【図３】
2021502028.tif 000005
【図４】
2021502028.tif 000006
【図５】
2021502028.tif 000007
【図６】
2021502028.tif 000008
【図７】
2021502028.tif 000009
【図８】
2021502028.tif 000010
【図９】
2021502028.tif 000011
【図１０】
2021502028.tif 000012
【図１１】
2021502028.tif 000013
【図１２】
2021502028.tif 000014
【図１３】
2021502028.tif 000015
【図１４】
2021502028.tif 000016
【図１５】
2021502028.tif 000017
【図１６】
2021502028.tif 000018
【図１７】
2021502028.tif 000019
【手続補正書】
【提出日】令和2年11月13日(2020.11.13)
【手続補正１】
【補正対象書類名】特許請求の範囲
【補正対象項目名】全文
【補正方法】変更
【補正の内容】
【特許請求の範囲】
【請求項１】
端末を作動させる方法であって、
基地局からウェイクアップ信号の第１パートを受信することと、前記基地局から前記ウェイクアップ信号の第２パートを任意選択で受信することとを含み、前記第１パートは、前記基地局に関連付けられたセルに関し、かつ前記第２パートは前記端末に関するものである、方法。
【請求項２】
前記ウェイクアップ信号の前記第１パートに含まれている同期信号に基づいて、前記端末を前記基地局と同期させることと、
前記同期に基づいて、前記ウェイクアップ信号の前記第２パートを選択的に受信することとをさらに含む、請求項１に記載の方法。
【請求項３】
前記セルのセル識別情報は、前記同期信号内に符号化される、請求項２に記載の方法。
【請求項４】
前記ウェイクアップ信号の前記第１パートは、前記同期信号を含む、請求項２または３に記載の方法。
【請求項５】
前記ウェイクアップ信号の前記第１パートに含まれている参照信号に基づいて、前記基地局と前記端末との間のチャネルのチャネルセンシングを実施することと、
前記チャネルセンシングの結果に応じて、前記ウェイクアップ信号の前記第２パートを選択的に受信することとをさらに含む、請求項１〜４のうちいずれか一項に記載の方法。
【請求項６】
前記同期および前記チャネルセンシングの前記結果のうち少なくとも１つに応じて、前記ウェイクアップ信号に含まれていない、少なくとも１つの周期的にブロードキャストされた別の参照信号を選択的に受信することをさらに含む、請求項１〜５のうちいずれか一項に記載の方法。
【請求項７】
前記第１パートは、参照信号を含み、
前記方法は、
前記参照信号に基づいて、前記基地局と前記端末との間のチャネルのチャネルセンシングを実施して、前記端末を前記基地局と同期させることと、
前記チャネルセンシングの結果に応じて、かつ前記同期に基づいて、前記ウェイクアップ信号の前記第２パートを選択的に受信することとをさらに含む、請求項１に記載の方法。
【請求項８】
前記基地局に関連付けられ、かつ前記第１パートに含まれている前記セルのセル識別情報を、参照セル識別情報と比較することと、
前記比較に応じて、前記ウェイクアップ信号の前記第２パートを選択的に受信することとをさらに含む、請求項１〜７のうちいずれか一項に記載の方法。
【請求項９】
非アクティブ状態からアクティブ状態に前記端末の受信機を遷移させることをさらに含み、
前記ウェイクアップ信号の前記第１パートは、前記遷移に応じて受信される、請求項１〜８のうちいずれか一項に記載の方法。
【請求項１０】
前記端末の前記受信機の前記非アクティブ状態から前記アクティブ状態への前記遷移の間、および、前記ウェイクアップ信号の前記第１パートの前記受信まで、基地局と同期しないことをさらに含む、請求項９に記載の方法。
【請求項１１】
ネットワークの基地局を作動させる方法であって、
ウェイクアップ信号の第１パートを伝送することと、前記ウェイクアップ信号の第２パートを任意選択で伝送することとを含み、前記第１パートは、前記基地局に関連付けられたセルに関し、かつ前記第２パートは端末に関するものである、方法。
【請求項１２】
下りリンクデータが、前記端末への伝送向けに待ち行列に入れられているかどうかを確認することをさらに含み、
前記ウェイクアップ信号の前記第２パートは、前記確認に基づいて選択的に伝送される、請求項１１に記載の方法。
【請求項１３】
前記第１パートは、前記第２パートのプリアンブルとして構成される、請求項１〜１２のうちいずれか一項に記載の方法。
【請求項１４】
前記ウェイクアップ信号の前記第１パートは、前記基地局と前記端末との間のチャネルのチャネルセンシングのための参照信号を含む、請求項１〜１３のうちいずれか一項に記載の方法。
【請求項１５】
タイムギャップが、前記ウェイクアップ信号の前記第１パートと、前記ウェイクアップ信号の前記第２パートとの間に配置される、請求項１〜１４のうちいずれか一項に記載の方法。
【国際調査報告】
2021502028.tif 000020
2021502028.tif 000021
2021502028.tif 000022